【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置であって、
前記被写体の画像に合成する合成用画像と対応付けて、作成する前記写真シールの見本となるサンプル画像を記憶するサンプル画像記憶手段と、
予め用意された複数の前記合成用画像のなかから前記利用者が選択した合成用画像に対応する前記サンプル画像を、前記編集入力を行う編集画面に表示する編集画面表示制御手段と、
前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける編集画像合成手段と
を備える写真シール作成装置。
【請求項２】
前記編集画像合成手段は、前記編集画面に表示された前記サンプル画像が選択された場合に、前記サンプル画像で使用されている１以上の前記編集入力機能の前記編集用合成画像のうち、所定の編集入力機能に対応する編集用合成画像のみを前記利用者の前記撮影画像に貼り付ける
請求項１に記載の写真シール作成装置。
【請求項３】
前記編集画像合成手段は、前記編集画面に表示された前記サンプル画像が選択された場合に、前記サンプル画像で使用されているすべての前記編集入力機能の前記編集用合成画像を、前記利用者の前記撮影画像に一括で貼り付ける
請求項１または２に記載の写真シール作成装置。
【請求項４】
前記編集画像合成手段は、前記サンプル画像で使用されているすべての前記編集入力機能の前記編集用合成画像を前記利用者の前記撮影画像に一括で貼り付ける場合、前記被写体の頭部で、かつ、肌色部分と重なっている編集用合成画像については貼り付けしない
請求項３に記載の写真シール作成装置。
【請求項５】
前記サンプル画像記憶手段は、編集前の状態のサンプル画像である編集前サンプル画像と、編集後の状態のサンプル画像である編集済みサンプル画像を記憶し、
撮影処理時に、前記編集前サンプル画像が前記利用者に提示され、
編集処理時に、前記編集済みサンプル画像が前記利用者に提示される
請求項４に記載の写真シール作成装置。
【請求項６】
利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置の写真シール作成方法であって、
前記被写体の画像に合成する合成用画像と対応付けて記憶されている、作成する前記写真シールの見本となるサンプル画像であって、予め用意された複数の前記合成用画像のなかから前記利用者が選択した合成用画像に対応する前記サンプル画像を、前記編集入力を行う編集画面に表示し、
前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける
ステップを含む写真シール作成方法。
【請求項７】
利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置を制御するコンピュータが実行可能なプログラムであって、
前記被写体の画像に合成する合成用画像と対応付けて記憶されている、作成する前記写真シールの見本となるサンプル画像であって、予め用意された複数の前記合成用画像のなかから前記利用者が選択した合成用画像に対応する前記サンプル画像を、前記編集入力を行う編集画面に表示し、
前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける
ステップを含む処理をコンピュータに実行させるプログラム。
【請求項８】
画像の編集処理を行う画像処理装置が、
作成する編集後画像の見本となるサンプル画像を記憶し、
利用者によって作成または取得された画像を所定の画面に表示するとともに、表示された前記画像の特徴に応じて、記憶されている複数の前記サンプル画像のなかから、前記画像に対応する前記サンプル画像を表示する編集画面表示制御手段と、
表示された前記サンプル画像が選択された場合に、前記サンプル画像で使用されている編集用合成画像であって、１以上の編集入力機能を用いて生成されている編集用合成画像を、前記利用者の前記画像に貼り付ける
ステップを含む画像処理方法。
【手続補正２】
【補正対象書類名】明細書
【補正対象項目名】発明の名称
【補正方法】変更
【補正の内容】
【発明の名称】写真シール作成装置、写真シール作成方法、プログラム、及び画像処理方法
【手続補正３】
【補正対象書類名】明細書
【補正対象項目名】００１４
【補正方法】変更
【補正の内容】
【００１４】
本発明の第１の側面は、利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置であって、前記被写体の画像に合成する合成用画像と対応付けて、作成する前記写真シールの見本となるサンプル画像を記憶するサンプル画像記憶手段と、予め用意された複数の前記合成用画像のなかから前記利用者が選択した合成用画像に対応する前記サンプル画像を、前記編集入力を行う編集画面に表示する編集画面表示制御手段と、前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける編集画像合成手段とを備える写真シール作成装置である。
【手続補正４】
【補正対象書類名】明細書
【補正対象項目名】００１６
【補正方法】変更
【補正の内容】
【００１６】
本発明の第１の側面の写真シール作成装置においては、被写体の画像に合成する合成用画像と対応付けて、作成する写真シールの見本となるサンプル画像が記憶され、予め用意された複数の合成用画像のなかから利用者が選択した合成用画像に対応するサンプル画像が、編集入力を行う編集画面に表示され、編集画面に表示されたサンプル画像が選択された場合に、サンプル画像で使用されている編集用合成画像であって、１以上の編集入力機能を用いて生成されている編集用合成画像が、利用者の撮影画像に貼り付けられる。
【手続補正５】
【補正対象書類名】明細書
【補正対象項目名】００１８
【補正方法】変更
【補正の内容】
【００１８】
前記編集画像合成手段は、前記編集画面に表示された前記サンプル画像が選択された場合に、前記サンプル画像で使用されている１以上の前記編集入力機能の前記編集用合成画像のうち、所定の編集入力機能に対応する編集用合成画像のみを前記利用者の前記撮影画像に貼り付ける。例えば、編集画面に表示された編集済みサンプル画像が押下された場合に、編集済みサンプル画像で使用されているヴェール画像入力機能、ペン画像入力機能、およびスタンプ画像入力機能それぞれの編集用合成画像であるヴェール画像、ペン画像、スタンプ画像のうち、ペン画像入力機能の編集用合成画像（ペン画像）のみを前記利用者の撮影画像に貼り付けることができる。これにより、編集済みサンプル画像に使用されている編集入力機能の編集用合成画像のうちの所望の編集用合成画像のみを、自分の編集画像に利用することができる。
【手続補正６】
【補正対象書類名】明細書
【補正対象項目名】００１９
【補正方法】変更
【補正の内容】
【００１９】
前記編集画像合成手段は、前記編集画面に表示された前記サンプル画像が選択された場合に、前記サンプル画像で使用されているすべての前記編集入力機能の前記編集用合成画像を、前記利用者の前記撮影画像に一括で貼り付ける。例えば、編集画面に表示された編集済みサンプル画像が押下された場合に、押下された編集済みサンプル画像で使用されている編集入力機能の編集用合成画像を、編集画像に一括して貼り付ける。これにより、編集入力機能をどのように使ったらよいかわからない初心者であっても完成度の高い写真シールを簡単に作成することができる。
【手続補正７】
【補正対象書類名】明細書
【補正対象項目名】００２０
【補正方法】変更
【補正の内容】
【００２０】
前記編集画像合成手段は、前記サンプル画像で使用されているすべての前記編集入力機能の前記編集入力機能の編集用合成画像を前記利用者の前記撮影画像に一括で貼り付ける場合、前記被写体の頭部で、かつ、肌色部分と重なっている編集用合成画像については貼り付けしない。これにより、さらに見栄えのよい編集画像を作成することができる。
【手続補正８】
【補正対象書類名】明細書
【補正対象項目名】００２２
【補正方法】変更
【補正の内容】
【００２２】
本発明の第１の側面は、利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置の写真シール作成方法であって、前記被写体の画像に合成する合成用画像と対応付けて記憶されている、作成する前記写真シールの見本となるサンプル画像であって、予め用意された複数の前記合成用画像のなかから前記利用者が選択した合成用画像に対応する前記サンプル画像を、前記編集入力を行う編集画面に表示し、前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける写真シール作成方法である。
【手続補正９】
【補正対象書類名】明細書
【補正対象項目名】００２３
【補正方法】変更
【補正の内容】
【００２３】
本発明の第１の側面の写真シール作成方法においては、被写体の画像に合成する合成用画像と対応付けて記憶されている、作成する写真シールの見本となるサンプル画像であって、予め用意された複数の合成用画像のなかから利用者が選択した合成用画像に対応するサンプル画像が、編集入力を行う編集画面に表示され、編集画面に表示されたサンプル画像が選択された場合に、サンプル画像で使用されている編集用合成画像であって、１以上の編集入力機能を用いて生成されている編集用合成画像が、利用者の撮影画像に貼り付けられる。
【手続補正１０】
【補正対象書類名】明細書
【補正対象項目名】００２５
【補正方法】変更
【補正の内容】
【００２５】
本発明の第１の側面は、利用者を被写体として撮影して得られた撮影画像に対して利用者に編集入力を行わせ、前記撮影画像に対して編集入力された画像である編集画像を所定のシール紙に印刷して写真シールを作成し、成果物として前記写真シールを前記利用者に提供する写真シール作成装置を制御するコンピュータが実行可能なプログラムであって、前記被写体の画像に合成する合成用画像と対応付けて記憶されている、作成する前記写真シールの見本となるサンプル画像であって、予め用意された複数の前記合成用画像のなかから前記利用者が選択した合成用画像に対応する前記サンプル画像を、前記編集入力を行う編集画面に表示し、前記編集画面に表示された前記サンプル画像が選択された場合に、前記サンプル画像で使用されている編集用合成画像であって、１以上の編集入力機能を用いて生成されている編集用合成画像を、前記利用者の前記撮影画像に貼り付ける処理をコンピュータに実行させるプログラムである。
【手続補正１１】
【補正対象書類名】明細書
【補正対象項目名】００２７
【補正方法】変更
【補正の内容】
【００２７】
本発明の第１の側面のプログラムにより実行されるコンピュータによれば、被写体の画像に合成する合成用画像と対応付けて記憶されている、作成する写真シールの見本となるサンプル画像であって、予め用意された複数の合成用画像のなかから利用者が選択した合成用画像に対応するサンプル画像が、編集入力を行う編集画面に表示され、編集画面に表示されたサンプル画像が選択された場合に、サンプル画像で使用されている編集用合成画像であって、１以上の編集入力機能を用いて生成されている編集用合成画像が、利用者の撮影画像に貼り付けられる。
【手続補正１２】
【補正対象書類名】明細書
【補正対象項目名】００３０
【補正方法】変更
【補正の内容】
【００３０】
本発明の第２の側面は、画像の編集処理を行う画像処理装置が、作成する編集後画像の見本となるサンプル画像を記憶し、利用者によって作成または取得された画像を所定の画面に表示するとともに、表示された前記画像の特徴に応じて、記憶されている複数の前記サンプル画像のなかから、前記画像に対応する前記サンプル画像を表示する編集画面表示制御手段と、表示された前記サンプル画像が選択された場合に、前記サンプル画像で使用されている編集用合成画像であって、１以上の編集入力機能を用いて生成されている編集用合成画像を、前記利用者の前記画像に貼り付けるステップを含む画像処理方法である。
【手続補正１３】
【補正対象書類名】明細書
【補正対象項目名】００３１
【補正方法】変更
【補正の内容】
【００３１】
本発明の第２の側面の画像処理方法においては、利用者によって作成または取得された画像が所定の画面に表示されるとともに、表示された画像の特徴に応じて、記憶されている複数のサンプル画像のなかから、画像に対応するサンプル画像が表示される。そして、表示されたサンプル画像が選択された場合に、サンプル画像で使用されている編集用合成画像であって、１以上の編集入力機能を用いて生成されている編集用合成画像が、利用者の画像に貼り付けられる。
【手続補正１４】
【補正対象書類名】明細書
【補正対象項目名】００３２
【補正方法】変更
【補正の内容】
【００３２】
例えば、携帯電話機において、撮影機能により得られた撮影画像に対して、そこに映っている女性と女性、女性と男性（カップル）、親子などの被写体構成、または、背景の色などの画像の特徴が認識され、認識された画像の特徴に対応する編集済みモデルサンプル画像が画面に表示され、表示された編集済みモデルサンプル画像が選択された場合に、編集済みモデルサンプル画像で使用されている編集用合成画像であって、１以上の編集入力機能を用いて生成されている編集用合成画像の一部または全てが、画像の特徴を認識した撮影画像に貼り付けられる。従って、編集をどのように行ったらよいかわかならい利用者であってもサンプル画像を選択するだけで、完成度の高い編集後画像を作成することができる。